(57)【要約】【課題】  通信機能が追加されていない通信装置としての古いファクシミリ装置との間の通信障害の発生を防止するようにする。【解決手段】  通信制御部１１５の初期識別部１１５ａｂは、送信側の通信装置が送信した電話番号と同じ通信機能データが、フラッシュメモリの願末能力設定格納部に記憶されているか否かを判定する。ＤＩＳ信号再生成部１１５ａｃは、初期識別部１１５ａｂにより、送信側の通信装置が送信した電話番号と同じ端末能力設定データが、端末能力設定格納部に格納されていると判定されると、この端末能力設定データに記述されている端末能力設定情報に基づき、受信することが可能な通信機能の能力を宣言するＤＩＳ信号を作成する。通信制御部１１５は、生成されたＤＩＳ信号送信側の通信装置に送信する。【選択図】    図６
2009060366.tif 000002
【特許請求の範囲】
【請求項１】
電話回線に接続し、該電話回線を介してデータ通信を行う通信装置であって、
通信前情報通知サービスに対応して発信元番号を取得する発信元番号取得部と、
外部より入力された発信元番号を記憶する発信元番号記憶部と、
前記発信元番号取得部により取得された発信元番号と、前記発信元番号記憶部に記憶されている発信元番号とを比較する比較部と、
前記比較部の比較結果に基づいて、データ受信に際して送信する受信能力情報を変更する通信制御部と
を備えることを特徴とする通信装置。
【請求項２】
前記発信元番号記憶部は、前記発信番号と該発信元番号の通信装置と間でデータ通信を行う際の通信機能を規定する通信機能規定情報とを対応づけて記憶しており、
前記比較部は、前記発信元番号取得部により取得された発信元番号と、前記発信元番号記憶部に記憶されている発信元番号とを比較し、前記発信元番号取得部により取得された発信元番号が前記発信元番号記憶部に記憶されているか否かを判定し、
前記発信元番号取得部により取得された発信元番号が前記発信元番号記憶部に記憶されていると前記比較部により判定された場合には、前記通信制御部は、該発信元番号に対応づけられた通信機能規定情報に基づき、前記受信能力情報を変更することを特徴とする請求項１記載の通信装置。
【請求項３】
前記発信元番号及び前記通信機能規定情報を入力するため入力欄を有する表示画面を表示する表示画面表示部と、
前記表示部に表示された前記入力欄に前記発信元番号及び通信機能規定情報を入力する入力部と、
前記入力部により入力された前記発信元番号及び通信機能規定情報を前記発信元番号記憶部に登録する発信元番号登録部と
を更に備えることを特徴とする請求項２記載の通信装置。
【発明の詳細な説明】
【技術分野】
【０００１】
本発明は、通信装置に関し、特にファクシミリ機能を有する通信装置に関する。
【背景技術】
【０００２】
従来の通信装置としてのファクシミリ装置は、ＩＴＵ−Ｔ（Ｉｎｔｅｒｎａｔｉｏｎａｌ  Ｔｅｌｅｐｈｏｎｅ  Ｕｎｉｏｎ）が定めるＩＴＵ−Ｔ勧告Ｔ．３０（一般公衆電話網における文書ファクシミリ伝送のための手順）に規定された伝送制御手順に従って、相手側のファクシミリ装置としての通信装置にファクシミリデータを送信している。ところで、近年、ファクシミリ装置は、新たな通信機能が新たに追加され、これに基づいて勧告Ｔ．３０も拡張されてきた（例えば、特許文献１参照）。
【特許文献１】特開平２００３−１６３７９８号公報
【発明の開示】
【発明が解決しようとする課題】
【０００３】
しかしながら、上述した通信機能が新たに追加されたファクシミリ装置では、通信機能が追加されていない古いファクシミリ装置に対して、このファクシミリ装置がサポートする通信機能を問い合わせしたとき、古いファクシミリ装置がこの問い合わせに対して応答することができないため、古いファクシミリ装置との間で通信不能を招くという問題点があった。
【０００４】
そこで、本発明は上述した問題点に鑑み、通信機能が追加されていない通信装置としての古いファクシミリ装置との間の通信不能の発生を防止することが可能な通信装置を提供することを目的とする。
【課題を解決するための手段】
【０００５】
上記課題を解決するため、本発明は、電話回線に接続し、該電話回線を介してデータ通信を行う通信装置であって、通信前情報通知サービスに対応して発信元番号を取得する発信元番号取得部と、外部より入力された発信元番号を記憶する発信元番号記憶部と、前記発信元番号取得部により取得された発信元番号と、前記発信元番号記憶部に記憶されている発信元番号とを比較する比較部と、前記比較部の比較結果に基づいて、データ受信に際して送信する受信能力情報を変更する通信制御部とを備えることを特徴とする。
【発明の効果】
【０００６】
以上、本発明によれば、比較部が、発信元番号取得部により取得された発信元番号と、発信元番号記憶部に記憶されている発信元番号とを比較し、この比較結果に基づいて、通信制御部がデータ受信に際して送信する受信能力情報を変更するので、この受信能力情報を受信した古いファクシミリ装置が、この受信した受信能力情報に対して応答することができるようになり、この結果、古いファクシミリ装置との間での通信不能の発生を防止することができる。
【発明を実施するための最良の形態】
【０００７】
次に、本発明を実施するための最良の形態を説明する。
【実施例】
【０００８】
図１は、本発明に係る実施例の通信装置の構成を示すブロック図である。図１に示すように、実施例１の通信装置としてのファクシミリ装置１０は、ＣＰＵ１１と、ＲＯＭ１２と、ＲＡＭ１３と、フラッシュメモリ１４と、読取装置１５と、印刷装置１６と、モデム１７と、操作パネル１８と、ＮＣＵ（Ｎｅｔｗｏｒｋ  Ｃｏｎｔｒｏｌ  Ｕｎｉｔ）１９とを備え、これらはシステムバス２０に接続され、かつ、ＮＣＵ１９は加入者線交換機３０に接続されている。
【０００９】
ＣＰＵ１１は、ＲＯＭ１２に記憶されている通信制御プログラム及びシステム制御プログラムを実行する。
【００１０】
ＲＯＭ１２は、ＣＰＵ１１により実行される前述の通信制御プログラム及びシステム制御プログラムを記憶する。ＲＡＭ１３は、ＣＰＵ１１が通信制御プログラム及びシステム制御を実行する際に発生するデータを一時的に記憶する。また、ＲＡＭ１３は、相手の通信装置から送信されてきたドットデータからなる画像データを一時記憶する。
【００１１】
フラッシュメモリ１４は、図２に示すように、発信電話番号格納部１４１と、端末能力設定格納部１４２を有している。発信電話番号格納部１４１は、加入者線交換機３０が提供するナンバーディスプレイサービスにより通知される発信元の電話番号を格納する。端末能力設定格納部１４２は、図４に示すように、ユーザが操作パネル１８より入力した端末能力設定情報が記述された端末能力設定データを格納する。
【００１２】
この端末能力設定データは、発信元の電話番号を示す電話番号項目と、通信速度を示す速度項目と、ファクシミリデータを印刷媒体に形成したときの解像度を示す解像度項目と、ファクシミリデータのデータ圧縮を規定する符号化項目と、誤り制御を行うか否かを規定するＥＣＭ項目と、通信機能を規定する通信機械工業会で決められた名称であるＦコード項目とを有している。
【００１３】
前述の速度項目において、「０」が設定されている場合には、Ｖ．３４通信が有効であることを示しており、「１」が設定されている場合には、この通信が無効であることを示している。ここで、Ｖ．３４通信とは、通信装置の間で３３．６Ｋｂｐｓの通信速度で通信を行うことが可能な通信をいう。
【００１４】
前述の解像度項目において「０」が設定されている場合には、解像度を高解像度、例えば「Ｒ８×１５．４ライン／ｍｍ」と規定し、「１」が設定されている場合には、解像度を高解像度以外の解像度、例えば「Ｒ８×７．７５ライン／ｍｍ」と規定する。
【００１５】
前述の符号化項目において、「０」が設定されている場合には、ファクシミリデータのデータ圧縮が高圧縮であることを示すＭＭＲの符号化方式が採用されていることを規定し、「１」が設定されている場合には、ファクシミリデータのデータ圧縮が低圧縮であることを示すＭＲ又はＭＨの符号化方式が採用されていることを規定する。
【００１６】
前述のＥＣＭ項目において、「０」が設定されている場合には、誤り制御を実行することを示しており、「１」が設定されている場合には、誤り制御を実行しないことを規定する。
【００１７】
前述のＦコード項目において、「０」が設定されている場合には、ＤＩＳ信号中のＦコードが有効であることを示しており、「１」が設定されている場合には、Ｆコードを無効であることを規定する。ここで、Ｆコードとは、ファクシミリに関する通信機械工業会で決められた名称であって、後述するＤＩＳ信号を形成するビット４７、ビット４９、及びビット５０により所定の機能を規定するものである。このＦコードにより規定される機能として、例えば、ファクシミリデータを掲示板に書き込むとともに、この掲示板からファクシミリデータを読み出すという機能がある。また、ファクシミリデータをメールボックスに書き込むとともに、このメールボックスからファクシミリデータを読み出すという機能がある。
【００１８】
図１に示す読取装置１５は、ＣＣＤ等を利用した、例えばスキャナ装置からなり、原稿を読み取り、この読み取った原稿の画像データをイメージデータに変換する。印刷装置１６は、例えば、感熱記録方式、電子写真方式等のプリンタ装置であって、ファクシミリ通信で受信した画像データを印刷媒体にハードコピーする。
【００１９】
モデム１７は、相手の通信装置との間で送受信する制御データや画像データを変復調し、これらのデータをファクシミリ伝送制御手順により相手先の通信装置としてのファクシミリ装置との間で送受信する。
【００２０】
操作パネル１８、例えば、液晶表示装置（ＬＣＤ）、ＣＲＴ（Ｃａｔｈｏｄｅ−Ｒａｙ  Ｔｕｂｅ）等からなり、図４に示すように、自装置の状態、操作方法等を表示する表示部１８１と、ファンクションキー１８２ａ、４つのカーソルキー１８２ｂ、スタートキー１８２ｃ、ストップキー１８２ｄ、文字キー１８２ｅ、ダイヤルキー１８２ｆ及びセットキー１８２ｇを備える操作部１８２とを有する。
【００２１】
ＮＣＵ（Ｎｅｔｗｏｒｋ  Ｃｏｎｔｒｏｌ  Ｕｎｉｔ）１９は、モデム１７と加入者線交換機３０との通信接続及び開放の制御を行う。
【００２２】
図５は、本発明に係る実施例の通信装置の機能を示す機能ブロック図である。この図５が示す機能ブロック図は、ＣＰＵ１１が、ＲＯＭ１２に記憶されている通信制御プログラム及びシステム制御プログラムを実行することにより、図５に示す操作パネル制御部１１０と、端末能力設定データ生成部１１１と、読取制御部１１２と、画像データ処理部１１３と、網制御部１１４と、通信制御部１１５と、印刷制御部１１６とを構成する。
【００２３】
操作パネル制御部１１０は、操作パネル１８を制御し、ユーザインターフェースを実行する。すなわち、操作パネル制御部１１０は、図４に示す端末能力の選択画面を表示部１８１に表示するとともに、ユーザにより選択された電話番号、並びに、Ｆコード、解像度、速度、ＥＣＭ、及び符号化の情報（以下、端末能力選択情報という）をＲＡＭ１３に格納する。そして、操作パネル制御部１１０は、この端末能力選択情報に基づき、前述の端末能力設定データの生成要求を端末能力設定データ生成部１１１に出力する。
【００２４】
端末能力設定データ生成部１１１は、操作パネル制御部１１０から入力された前述の生成要求に従い、ＲＡＭ１３から端末能力選択情報を読み出し、この端末能力選択情報に基づき、端末能力設定データを生成するとともに、この端末能力設定データをフラッシュメモリ１４の端末能力設定格納部１４２に登録する。
【００２５】
読取制御部１１２は、読取装置１５を制御し、原稿の読取りに関する一連の動作を実行する。
【００２６】
画像データ処理部１１３は、勧告Ｔ．４（文書伝送用Ｇ３ファクシミリ装置の標準化）、及び、勧告Ｔ．６（Ｇ４ファクシミリ装置のためのファクシミリ符号化方式と符号化制御機能）に従い、画像データの圧縮や伸張を行う。
【００２７】
網制御部１１４は、モデム１７及びＮＣＵ１９を制御し、自装置と加入者線交換機３０とを通信接続させる。すなわち、網制御部１１４は、加入者線交換機３０から自装置を起動させる情報受信端末起動信号を受信すると、ＮＣＵ１９の直流回路を閉じさせ、自装置がＭＯＤＥＭ信号を受信可能なったこと示す一次応答信号をＮＣＵ１９から加入者線交換機３０に送信する。また、網制御部１１４は、加入者線交換機３０から発信元の発信電話番号等を有するＭＯＤＥＭ信号を受信すると、受信したＭＯＤＥＭ信号に有する情報から発信電話番号を抽出し、この発信電話番号をフラッシュメモリ１４の発信電話番号格納部１４１に格納する。そして、網制御部１１４は、操作パネル１８の表示部１８１にこの発信電話番号を表示させる要求を操作パネル制御部１１０に出力する。
【００２８】
また、網制御部１１４は、発信電話番号をフラッシュメモリ１４の発信電話番号格納部１４１に格納すると、ＮＣＵ１９の直流回路を開かせさせたのち、発信電話番号等の情報の受信を終了したことを示す受信完了信号を加入者線交換機３０に送信する。
【００２９】
また、網制御部１１４は、受信完了信号を送信したのち、予め決められた期間の間に加入者線交換機３０から呼出信号を受信したとき、ＮＣＵ１９の直流回路を閉じさせたのち、自装置が相手装置に対する応答が完了したことを示す二次応答信号を加入者線交換機３０に送信する。一方、網制御部１１４は、前述の期間の間に加入者線交換機３０から呼出信号を受信しないときは、フラッシュメモリ１４の発信電話番号格納部１４１に記憶されている発信電話番号を消去する。
【００３０】
通信制御部１１５は、モデム１７やＮＣＵ１９を介し、ファクシミリ伝送制御手順、及び画像データの授受を制御するものであって、図６に示すように、フェーズＢ制御部１１５ａ、フェーズＣ制御部１１５ｂ、及びフェーズＤ制御部１１５ｃを備える。
【００３１】
フェーズＢ制御部１１５ａは、勧告Ｔ．３０に規定されているフェーズＢの内容の実行すなわち、端末の送受信順次状態、端末定数の表示と決定、同期状態の確認などを行い、ファクシミリデータの伝送の準備を行うものであって、ＤＩＳ信号生成部１１５ａａ、初期識別部１１５ａｂ、及び、ＤＩＳ信号再生成部１１５ａｃを備える。
【００３２】
ＤＩＳ信号生成部１１５ａａは、自装置の通信機能を規定するＤＩＳ信号を生成し、ＲＡＭ１３に一時格納する。また、ＤＩＳ信号生成部１１５ａａは、ＤＩＳ信号をＲＡＭ１３に格納すると、フラッシュメモリ１４の発信電話番号格納部１４１に格納されている発信電話番号と同じ発信電話番号が記述された端末能力設定データが、端末能力設定格納部１４２に格納されているか否かの検索要求を初期識別部１１５ａｂに出力する。
【００３３】
初期識別部１１５ａｂは、ＤＩＳ信号生成部１１５ａａから入力された前述の検索要求に従い、フラッシュメモリ１４の発信電話番号格納部１４１に発信電話番号が格納されているか否かを判定する。そして、初期識別部１１５ａｂは、発信電話番号格納部１４１に発信電話番号が格納されていると判定した場合、この発信電話番号を読み出す。
【００３４】
また、初期識別部１１５ａｂは、端末能力設定格納部１４２に格納されている端末能力設定データを検索し、先に読み出した発信電話番号の下４桁と同一な電話番号が記述された端末能力設定データが格納されているか否かを判定する。そして、初期識別部１１５ａｂは、先に読み出した発信電話番号の下４桁と同一な電話番号が記述された端末能力設定データが格納されていると判定した場合には、この端末能力設定データを端末能力設定格納部１４２から読み出し、読み出した端末能力設定データをＤＩＳ信号再生成部１１５ａｃに出力する。
【００３５】
ＤＩＳ信号再生成部１１５ａｃは、初期識別部１１５ａｂから入力された端末能力設定データに基づき、ＲＡＭ１３に格納されているＤＩＳ信号を書き替え、書き替えたＤＩＳ信号をＲＡＭ１３に格納する。
【００３６】
例えば、ＤＩＳ信号生成部１１５ａａにより生成されたＤＩＳ信号に示されているＥＣＭが誤り訂正を行わないように設定されおり、かつ、端末能力設定データのＥＣＭ項目に「０」が記述されている場合には、ＤＩＳ信号再生成部１１５ａｃは、誤り訂正を有効にするためにＤＩＳ信号のビット２７を「１」にする。
【００３７】
フェーズＣ制御部１１５ｂは、勧告Ｔ．３０に規定されているフェーズＣの内容を実行する。すなわち、フェーズＣ制御部１１５ｂは、ファクシミリデータの伝送、その確認及び同期の保持等の制御を行う。
【００３８】
フェーズＤ制御部１１５ｃは、勧告Ｔ．３０に規定されているフェーズＤの内容を実行する。すなわち、フェーズＤ制御部１１５ｃは、ファクシミリデータの伝送終了と受信確認等を行う。なお、フェーズＤ制御部１１５ｃは、ファクシミリデータを連続送信を行う場合には、フェーズＢ制御部１１５ａ又はフェーズＣ制御部１１５ｂに制御を移行する。
【００３９】
印刷制御部１１６は、印刷装置１６を制御し、印刷に関する一連の動作を実行させる。
【００４０】
次に、本発明に係る実施例の通信装置の動作を説明する。
【００４１】
図７は本発明に係る実施例の通信装置の動作を示すフローチャートである。このフローチャートは、フラッシュメモリ１４の端末能力設定格納部１４２に端末能力設定データを登録する動作を示すものである。まず、ユーザが操作部１８２に設けられている４つのカーソルキー１８２ｂを用いて、表示部１８１に表示されている初期メニュー画面（図示せず）中の端末能力の選択表示入力欄にカーソルを設定し、その後、セットキー１８２ｇを押下すると、操作パネル制御部１１０は、図４に示す端末能力の選択画面を表示部１８１に表示するとともに（ステップＳ１）、電話番号入力欄の箇所にカーソルを設定する。
【００４２】
その後、ユーザがダイヤルキー１８２ｆを使用して電話番号を電話番号入力欄に入力したのち（ステップＳ２）、セットキー１８２ｇを押下すると、操作パネル制御部１１０は、Ｆコード入力欄中の「有効」と表示されている箇所にカーソルを設定する。ユーザがＦコードを有効とする場合には、カーソル位置を移動することなく、セットキー１８２ｇを押下することでＦコードを有効に選択する。一方、ユーザがＦコードを無効とする場合には、Ｆコード入力欄中の「無効」と表示されている箇所に、カーソルキー１８２ｂを用いてカーソルを移動したのち、セットキー１８２ｇを押下することでＦコードを無効に選択する（ステップＳ３）。その後、セットキー１８２ｇが押下されると、操作パネル制御部１１０は、解像度入力欄中の「高解像度有効」と表示されている箇所にカーソルを設定する。
【００４３】
その後、ユーザが高解像度を有効とする場合には、カーソル位置を移動することなく、セットキー１８２ｇを押下することで、解像度を高解像に選択する。一方、ユーザが高解像度を無効とする場合には、解像度入力欄中の「高解像度無効」と表示されている箇所に、カーソルキー１８２ｂを用いてカーソルを移動したのち、セットキー１８２ｇを押下することで、解像度を高解像でない（高解像無効）でないことを選択する（ステップＳ４）。その後、セットキー１８２ｇが押下されると、操作パネル制御部１１０は、速度入力欄中の「Ｖ．３４有効」と表示されている箇所にカーソルを設定する。
【００４４】
その後、ユーザがＶ．３４通信を有効とする速度とする場合には、カーソル位置を移動することなく、セットキー１８２ｇを押下することで、３４通信を有効とする速度を選択する。一方、ユーザがＶ．３４通信を無効とする速度とする場合には、速度入力欄中の「Ｖ．３４無効」と表示されている箇所に、カーソルキー１８２ｂを用いてカーソルを移動したのち、セットキー１８２ｇを押下することで、Ｖ．３４通信を無効とする速度を選択する（ステップＳ５）。その後、セットキー１８２ｇが押下されると、操作パネル制御部１１０は、ＥＣＭ入力欄中の「有効」と表示されている箇所にカーソルを設定する。
【００４５】
その後、ユーザがＥＣＭ（誤り制御）を有効とする場合には、カーソル位置を移動することなく、セットキー１８２ｇを押下することで、ＥＣＭ（誤り制御）が有効であることを選択する。一方、ユーザがＥＣＭを無効とする場合には、ＥＣＭ入力欄中の「無効」と表示されている箇所に、カーソルキー１８２ｂを用いてカーソルを移動したのち、セットキー１８２ｇを押下することで、ＥＣＭ（誤り制御）が無効であることを選択する（ステップＳ６）。セットキー１８２ｇが押下されると、操作パネル制御部１１０は、符号化入力欄中の「高圧縮有効」と表示されている箇所にカーソルを設定する。
【００４６】
その後、ユーザが送受信する画像データのデータ圧縮が高圧縮とする場合には、カーソル位置を移動することなく、セットキー１８２ｇを押下することで、送受信する画像データのデータ圧縮が高圧縮であることを選択する。一方、ユーザが送受信する画像データのデータが高圧縮でない場合には、符号化入力欄中の「高圧縮無効」と表示されている箇所に、カーソルキー１８２ｂを用いてカーソルを移動したのち、セットキー１８２ｇを押下することで、送受信する画像データのデータが高圧縮でないことを選択する（ステップＳ７）。
【００４７】
高圧縮又は高圧縮でないことを選択するために、セットキー１８２ｇが押下されると、操作パネル制御部１１０は、表示部１８１の端末能力の選択画面中に表示されている、電話番号入力欄、Ｆコード入力欄、解像度入力欄、速度入力欄、ＥＣＭ入力欄、及び、符号化入力欄に指定されたこれらの情報（以下、端末能力選択情報という）をＲＡＭ１３に格納する。次に、操作パネル制御部１１０は、端末能力設定データの生成要求を端末能力設定データ生成部１１１に出力する。
【００４８】
その後、端末能力設定データ生成部１１１は、前述の生成要求が操作パネル制御部１１０から入力されると、ＲＡＭ１３から端末能力選択情報を読み出し、この端末能力選択情報に基づき、上述した端末能力設定データを生成する（ステップＳ８）。次に、端末能力設定データ生成部１１１は、生成した端末能力設定データをフラッシュメモリ１４の端末能力設定格納部１４２に登録し（ステップＳ９）、処理を終了させる。
【００４９】
例えば、図４に示すように、端末能力の選択画面中の電話番号入力欄が「１１２２」で、Ｆコード入力欄が「有効」で、解像度入力欄が「高解像度有効」で、速度入力欄が「Ｖ．３４有効」で、ＥＣＭ入力欄が「有効」で、かつ、符号化入力欄が「高圧縮有効」であるとユーザに入力された場合には、電話番号項目が「１１２２」で、速度項目が「０」で、解像度項目が「０」で、符号化項目が「０」で、ＥＣＭ項目が「０」で、かつ、Ｆコード項目が「０」が記述された端末能力設定データが端末能力設定データ生成部１１１により生成され、この端末能力設定データが端末能力設定格納部１４２に登録される（図３参照）。
【００５０】
図８は本発明に係る実施例の通信装置の動作を示すフローチャートである。このフローチャートは、図５中の網制御部１１４の動作を示すものである。なお、この動作の説明において示されている各種信号は、日本電信電話株式会社が発行している「電話サービスのインターフェース」第５版に定義されているものである。
【００５１】
網制御部１１４は、加入者線交換機３０から自装置を起動させる情報受信端末起動信号を受信したか否かを判定する（ステップＳ１１）。網制御部１１４は、情報受信端末起動信号を受信していないと判定した場合には（ステップＳ１１；Ｎ）、処理を終了させる。一方、網制御部１１４は、情報受信端末起動信号を受信したと判定した場合には（ステップＳ１１；Ｙ）、ＮＣＵ１９の直流回路を閉じさせることで、一次応答信号をＮＣＵ１９から加入者線交換機３０に送信する（ステップＳ１２）。これにより、加入者線交換機３０は、ファクシミリ装置１０が情報の受信準備が整ったことを認識する。
【００５２】
その後、網制御部１１４は、加入者線交換機３０から発信元の発信電話番号等を有するＭＯＤＥＭ信号を受信すると（ステップＳ１３）、受信したＭＯＤＥＭ信号に有する情報から発信電話番号を抽出し、この発信電話番号をフラッシュメモリ１４の発信電話番号格納部１４１に格納する（ステップＳ１４）。次に、網制御部１１４は、操作パネル１８の表示部１８１にこの発信電話番号を表示させる要求を操作パネル制御部１１０に出力する。
【００５３】
操作パネル制御部１１０は、前述の要求が入力されると、フラッシュメモリ１４の発信番号格納部１４１から発信電話番号を読み出し、操作パネル１８の表示部１８１にこの発信電話番号を表示する（ステップＳ１５）。
【００５４】
網制御部１１４は、発信電話番号をフラッシュメモリ１４の発信電話番号格納部１４１に格納すると、ＮＣＵ１９の直流回路を開かせさせたのち、発信電話番号等の情報の受信を終了したことを示す受信完了信号を加入者線交換機３０に送信する（ステップＳ１６）。これにより、加入者線交換機３０は、ファクシミリ装置１０が発信電話番号の受信が終了したことを認識する。
【００５５】
網制御部１１４は、受信完了信号を送信したのち、予め決められた期間の間に、加入者線交換機３０から着信があることを示す呼出信号を受信したか否かを判定する（ステップＳ１７）。網制御部１１４は、前述の期間の間に加入者線交換機３０から呼出信号を受信したと判定した場合には（ステップＳ１７；Ｙ）、ＮＣＵ１９の直流回路を閉じさせたのち、      自装置が相手装置に対する応答が完了したことを示す二次応答信号を加入者線交換機３０に送信し（ステップＳ１８）、処理を終了させる。
【００５６】
一方、網制御部１１４は、前述の期間の間に加入者線交換機３０から呼出信号を受信しないと判定した場合には（ステップＳ１７；Ｎ）、フラッシュメモリ１４の発信電話番号格納部１４１に記憶されている発信電話番号を消去し（ステップＳ１９）、処理を終了させる。
【００５７】
図９は本発明に係る実施例の通信装置の動作を示すフローチャートである。このフローチャートは、通信制御部がＤＩＳ信号を生成・送信処理を示すものである。通信制御部１１５のフェーズＢ制御部１１５ａが網制御部１１４から起動要求が入力されると、ＤＩＳ信号生成部１１５ａａは、自装置の通信機能を規定するＤＩＳ信号を生成し、ＲＡＭ１３に一時格納する（ステップＳ２１）。次に、ＤＩＳ信号生成部１１５ａａは、フラッシュメモリ１４の発信電話番号格納部１４１に格納されている発信電話番号と同じ発信電話番号が記述された端末能力設定データが、端末能力設定格納部１４２に格納されているか否かの検索要求を初期識別部１１５ａｂに出力する（ステップＳ２２）。
【００５８】
初期識別部１１５ａｂは、前述の検索要求がＤＩＳ信号生成部１１５ａａから入力されると、フラッシュメモリの発信電話番号格納部１４１にアクセスし、フラッシュメモリ１４の発信電話番号格納部１４１に発信電話番号が格納されているか否かを判定する（ステップＳ２３）。初期識別部１１５ａｂは、発信電話番号格納部１４１に発信電話番号が格納されていると判定した場合（ステップＳ２３；Ｙ）、この発信電話番号を読み出す（ステップＳ２４）。
【００５９】
次に、初期識別部１１５ａｂは、読み出した電話番号と端末能力設定格納部１４２に格納されている端末能力設定データの電話番号を比較して検索し、先に読み出した発信電話番号の下４桁と同一な電話番号が記述された端末能力設定データが格納されているか否かを判定する（ステップＳ２５）。初期識別部１１５ａｂは、先に読み出した発信電話番号の下４桁と同一な電話番号が記述された端末能力設定データが格納されていると判定した場合には（ステップＳ２５；Ｙ）、この端末能力設定データを端末能力設定格納部１４２から読み出し、読み出した端末能力設定データをＤＩＳ信号再生成部１１５ａｃに出力する。
【００６０】
ＤＩＳ信号再生成部１１５ａｃは、端末能力設定データが初期識別部１１５ａｂから入力されると、この端末能力設定データに基づき、ＲＡＭ１３に格納されているＤＩＳ信号を書き替え、書き替えたＤＩＳ信号をＲＡＭ１３に格納する（ステップＳ２６）。
【００６１】
すなわち、ＤＩＳ信号再生成部１１５ａｃは、端末能力設定データの速度項目に「０」が記述されている場合には、Ｖ．３４通信を有効にするためにＤＩＳ信号のビット６を「１」にし、一方、速度項目に「１」が記述されている場合には、Ｖ．３４通信を無効にするためにＤＩＳ信号のビット６を「０」にする。
【００６２】
また、ＤＩＳ信号再生成部１１５ａｃは、端末能力設定データの解像度項目に「０」が記述されている場合には、解像度をＲ８×１５．４ライン／ｍｍで規定される高解像にするためにＤＩＳ信号のビット４１を「１」にし、一方、解像度項目に「１」が記述されている場合には、解像度を高解像度としないためにＤＩＳ信号のビット４１を「０」にする。
【００６３】
また、ＤＩＳ信号再生成部１１５ａｃは、端末能力設定データの符号化項目に「０」が記述されている場合には、高圧縮のファクシミリデータを有効にするためにＤＩＳ信号のビット３１を「１」にし、一方、符号化項目に「１」が記述されている場合には、高圧縮のファクシミリデータを無効にするためにＤＩＳ信号のビット４１を「０」にする。
【００６４】
また、ＤＩＳ信号再生成部１１５ａｃは、端末能力設定データのＥＣＭ項目に「０」が記述されている場合には、誤り訂正を有効にするためにＤＩＳ信号のビット２７を「１」にし、一方、ＥＣＭ項目に「１」が記述されている場合には、誤り訂正を無効にするためにＤＩＳ信号のビット２７を「０」にする。
【００６５】
また、ＤＩＳ信号再生成部１１５ａｃは、端末能力設定データのＦコード項目に「０」が記述されている場合には、Ｆコードを有効にするためにＤＩＳ信号のビット４７、ビット４９、及びビット５０を「１」にし、一方、Ｆコード項目に「１」が記述されている場合には、Ｆコードを無効にするためにＤＩＳ信号のビット４７、ビット４９、及びビット５０を「１」にする。
【００６６】
例えば、図３中の符号Ａに示された端末能力設定データに基づき再生されたＤＩＳ信号では、ビット６が「１」で、ビット２７が「１」で、ビット３１が「１」で、ビット４１が「１」で、ビット４７が「１」で、ビット４９が「１」で、ビット５０が「１」となっている。また、図３中の符号Ｂに示された端末能力設定データに基づき再生されたＤＩＳ信号では、ビット６が「０」で、ビット２７が「０」で、ビット３１が「０」で、ビット４１が「１」で、ビット４７が「１」で、ビット４９が「１」で、ビット５０が「１」となっている。また、図３中の符号Ｃに示された端末能力設定データに基づき再生されたＤＩＳ信号では、ビット６が「０」で、ビット２７が「０」で、ビット３１が「０」で、ビット４１が「０」で、ビット４７が「０」で、ビット４９が「０」で、ビット５０が「０」となっている。
【００６７】
ステップＳ２６において、ＤＩＳ信号再生成部１１５ａｃは、端末能力設定データに基づき、ＲＡＭ１３に格納されているＤＩＳ信号を書き替え、書き替えたＤＩＳ信号をＲＡＭ１３に格納すると、ＲＡＭ１３からＤＩＳ信号を読み出し、通信制御部１１５に出力する。
【００６８】
通信制御部１１５は、入力されたＤＩＳ信号を、モデム１７及びＮＣＵ１９、並びに、加入者線交換機３０を介して、相手先のファクシミリ装置に送信し（ステップＳ２７）、処理を終了する。
【００６９】
ステップＳ２３において、初期識別部１１５ａｂは、発信電話番号格納部１４１に発信電話番号が格納されていないと判定した場合（ステップＳ２３；Ｎ）、ステップＳ２７に処理を移行させる。
【００７０】
ステップＳ２５において、初期識別部１１５ａｂは、先に読み出した発信電話番号の下４桁と同一な電話番号が記述された端末能力設定データが格納されていないと判定した場合には（ステップＳ２５；Ｎ）、フラッシュメモリ１４の発信電話番号格納部１４１に格納されている発信電話番号を消去し（ステップＳ２８）、ステップＳ２７に処理を移行させる。
【００７１】
図１０は、本発明に係る実施例の通信装置の伝送制御手順を示すシーケンス図である。すなわち、通信装置１０が勧告Ｔ．３０に従って行うファクシミリ伝送制御処理手順を説明するための図である。以下、図１０に基づいて、ファクシミリ伝送制御処理手順について説明する。ここで、図１０中の受信側のファクシミリ装置としての通信装置１０は、本発明に係る実施例の構成を有する通信装置である。また、加入者線交換機３０は、日本電信電話株式会社の交換網に設置されているものであって、ナンバーディスプレイサービスを提供しているものとする。
【００７２】
送信側の通信装置５０が加入者線交換機３０にダイヤル通話を行うと（図１０のＴ１参照）、加入者線交換機３０は、受信側の通信装置１０を起動させる情報受信端末起動信号を実施例の通信装置１０に送信する（図１０のＴ２参照）。
【００７３】
通信装置１０は、情報受信端末起動信号を受信すると、情報の受信が可能になったこを示す一次応答信号を加入者線交換機３０に送信する（図１０中のＴ３参照）。
【００７４】
加入者線交換機３０は、一次応答信号が通信装置１０から送信されてくると、発信番号等の情報を有するＭＯＤＥＭ信号を受信側の通信装置１０に送信する（図１０中のＴ４参照）。加入者線交換機３０は、以後、受信完了信号到着待ち状態になる。なお、加入者線交換機３０は予め決められた時間内に一次応答信号を認識することができない場合には、情報受信端末起動信号を停止し、呼出信号を受信側の通信装置１０に送信する。
【００７５】
通信装置１０は、加入者線交換機３０から送信されてきたＭＯＤＥＭ信号を受信をすると、このＭＯＤＥＭ信号で示される発信電話番号を操作パネル１８の表示部１８１に表示するとともに、フラッシュメモリ１４の発信電話番号格納部１４１に格納する。その後、通信装置１０は、発信電話番号等の情報の受信を終了したことを示す受信完了信号をモデム１７及びＮＣＵ１９を介して加入者線交換機３０に送信する（図１０中のＴ５参照）。
【００７６】
加入者線交換機３０は、前述の受信完了信号が通信装置１０から受信すると、着信があることを示す呼出信号を通信装置１０に送信する（図１０中のＴ６参照）。
【００７７】
通信装置１０は、加入者線交換機３０が送信した前述の呼出信号を受信すると、ＮＣＵ１９の直流回路を閉じさせ、次に、自装置が相手装置に対する応答の順次が完了した旨を示す二次応答信号を加入者線交換機３０に送信する（図１０中のＴ７参照）。
【００７８】
その後、送信側の通信装置５０は、加入者線交換機３０を介してコーリング・トーン（ＣＮＧ信号）を受信側の通信装置１０に送信する（図１０中のＴ８参照）。
【００７９】
受信側の通信装置１０は、送信側の通信装置５０が送信したＣＮＧ信号を受信すると、ＣＥＤ信号（被呼端末識別信号）を、加入者線交換機３０を介して送信側の通信装置５０に送信する（図１０中のＴ９参照）。
【００８０】
その後、受信側の通信装置１０は、必要があれば上述したようにして生成したＤＩＳ信号を、加入者線交換機３０を介して送信側の通信装置５０に送信する（図１０中のＴ１０参照）。
【００８１】
送信側の通信装置５０は、加入者線交換機３０を介してＤＩＳ信号が送信されてくると、入力されたＤＩＳ信号に宣言された通信能力と、自装置がサポートすることが可能な通信機能能力を宣言するＤＣＳ信号を、加入者線交換機３０を介して受信側の通信装置１０に送信する（図１０中のＴ１１参照）。
【００８２】
その後、送信側の通信装置５０は、ファクシミリデータを受信するに際し、モデム１７を調整するためのトレーニングチェック信号であるＴＣＦ信号を、加入者線交換機３０を介して受信側の通信装置１０に送信する（図１０中のＴ１２参照）。
【００８３】
受信側の通信装置１０がＴＣＦ信号を受信すると、モデム１７は、ファクシミリデータを受信可能な状態に調整する。その後、受信側の通信装置１０は、ファクシミリデータの送信を開始してもよいことを示すＣＦＲ信号を、加入者線交換機を介して送信側の通信装置５０に送信する（図１０中のＴ１３参照）。
【００８４】
送信側の通信装置５０は、受信側の通信装置１０が送信したＣＦＲ信号を受信すると、ＲＡＭ１３に記憶されている画像データを順次読み出し、加入者線交換機３０を介してこの画像データを受信側の通信装置１０にページ単位で順次送信する（図１０中のＴ１４参照）。
【００８５】
送信側の通信装置５０は、全ての画像データを通信側の受信側の通信装置１０に送信し終わると、画像データの全てのページを送信したことを示すＥＯＰ信号を受信側の通信装置１０に送信する（図１０中のＴ１５参照）。
【００８６】
受信側の通信装置１０は、ＥＯＰ信号を受信すると、画像データを受信したことを示すＭＣＦ信号を送信側の通信装置５０に送信する（図１０中のＴ１６参照）。
【００８７】
送信側の通信装置５０は、受信側の通信装置１０が送信したＭＣＦ信号を受信すると、通信切断を要求するＤＣＮ信号を受信側の通信装置１０に送信する（図１０中のＴ１７参照）。
【００８８】
その後、送信側の通信装置５０は、回線の切断を要求する切断信号を加入者線交換機３０に送信する（図１０中のＴ１８参照）。受信側の通信装置１０は、送信側の通信装置５０が送信したＤＣＮ信号を受信すると、回線の切断を要求する切断信号を加入者線交換機３０に送信する（図１０中のＴ１９参照）。
【００８９】
加入者線交換機３０は、送信側の通信装置５０及び受信側の通信装置１０が送信した前述の切断信号を受信すると、送信側の通信装置５０と受信側の通信装置１０との間の回線を切断する。
【００９０】
図１１は、本発明の実施例の通信装置の動作を示すシーケンス図である。ここで、図１１中の送信側の通信装置５０は勧告Ｖ．８に規定された機能を有する通信装置であり、受信側の通信装置１０は、本発明に係る実施例の構成を有するとともに、勧告Ｖ．８に規定された機能を有する通信装置である。まず、送信側の通信装置５０が加入者線交換機３０にダイヤルをかける処理（図１１中のＴ２１参照）から、受信側の通信装置１０が二次応答信号を加入者線交換機３０に送信する処理（図１１中のＴ２７）までは、図１０に示されたシーケンス動作と同一である。
【００９１】
その後、送信側の通信装置５０は、加入者線交換機３０を介してコーリング・トーン（ＣＮＧ信号）を受信側の通信装置１０に送信する（図１１中のＴ２８参照）。
【００９２】
送信側の通信装置５０と受信側の通信装置１０とが電話回線より通信接続されると、受信側の通信装置１０は、加入者線交換機３０を介して送信側の通信装置５０に、勧告Ｖ．８に規定されＡＮＳａｍ信号を送信する（図１１中のＴ２９参照）。
【００９３】
送信側の通信装置５０は、加入者線交換機３０を介してＡＮＳａｍ信号が送信されてくると、勧告Ｖ．８を実行する装置であることを宣言する、勧告Ｖ．８に従った通信を行うことを宣言するＣＭ信号を、加入者線交換機３０を介して受信側の通信装置１０に送信する（図１１中のＴ３０参照）。
【００９４】
受信側の通信装置１０は、ＣＭ信号が送信されてくると、通信スピードが３３．６ｋｂｉｔ／ｓで、２線式全二重モデムによる通信処理を規定する勧告Ｖ．３４に従って通信処理を行うことを宣言するＪＭ信号を、加入者線交換機３０を介して送信側の通信装置５０に送信する（図１１中のＴ３１参照）。
【００９５】
その後、受信側の通信装置１０がＤＩＳ信号を送信側の通信装置５０に送信する処理（図１１中のＴ３２参照）、及び、送信側の通信装置５０からＤＣＳ信号を受信する処理（図１１中のＴ３３参照）は、図１０に示されたシーケンス動作と同一である。
【００９６】
次に、受信側の通信装置１０は、ＣＦＲ信号（図１１中のＴ３４参照）を送信側の通信装置に送信したのち、送信側の通信装置５０及び受信側の通信装置１０が加入者線交換機に切断信号を送信し（図１１中のＴ３９及びＴ４０参照）、加入者線交換機３０が送信側の通信装置５０と受信側の通信装置１０との間の通信回線を切断するまでの処理は、図１０に示されたシーケンス動作と同一である。
【００９７】
実施例によれば、通信制御部１１５の初期識別部１１５ａｂにより、送信側の古い通信装置である送信側の通信装置５０が送信した電話番号と同じ電話番号が記述された端末能力設定データが、フラッシュメモリ１４の端末能力設定格納部１４２に登録されていると判定されると、ＤＩＳ信号再生成部１１５ａｃが、この端末能力設定データに記述されている通端末能力設定情報に基づき、自装置の通信機能の能力を規定するＤＩＳ信号を再生成するので、このＤＩＳ信号を受信した送信側の通信装置５０が、受信したＤＩＳ信号に対して応答することができるようになる。この結果、古いファクシミリ装置との間での通信不能の発生を防止することができる。
【産業上の利用可能性】
【００９８】
実施例では通信装置としてファクシミリ装置について記載したが、これ以外としてＭＰＦ（Ｍｕｌｔｉｆｕｎｃｔｉｏｎ  Ｐｅｒｉｐｈｅｒａｌ）、ＦＡＸモデム等の通信装置にも適用することができることはいうまでもない。
【図面の簡単な説明】
【００９９】
【図１】本発明に係る実施例の通信装置の構成を示すブロック図である。
【図２】図１中のフラッシュメモリの構成を示すブロック図である。
【図３】図２中の端末能力設定格納部を説明する図である。
【図４】図１中の操作パネルを説明する図である。
【図５】本発明に係る実施例の通信装置の機能を示す機能ブロック図である。
【図６】図５中の通信制御部の構成を示すブロック図である。
【図７】本発明に係る実施例の通信装置の動作を示すフローチャートである。
【図８】本発明に係る実施例の通信装置の動作を示すフローチャートである。
【図９】本発明に係る実施例の通信装置の動作を示すフローチャートである。
【図１０】本発明に係る実施例の通信装置の伝送制御手順を示すシーケンス図である。
【図１１】本発明に係る実施例の通信装置の伝送制御手順を示すシーケンス図である。
【符号の説明】
【０１００】
１０  通信装置
１１  ＣＰＵ
１１０  操作パネル制御部
１１１  端末能力設定データ生成部
１１２  読取制御部
１１３  画像データ処理部
１１４  網制御部
１１５  通信制御部
１１５ａ  フェーズＢ制御部
１１５ａａ  ＤＩＳ信号生成部
１１５ａｂ  初期識別部
１１５ａｃ  ＤＩＳ信号再生成部
１１５ｂ  フェーズＣ制御部
１１５ｃ  フェーズＤ制御部
１２  ＲＯＭ
１３  ＲＡＭ
１４  フラッシュメモリ
１５  読取装置
１６  印刷装置
１７  モデム
１８  操作パネル
１８１  表示部
１８２  操作部
１９  ＮＣＵ
２０  システムバス
３０  加入者線交換機
【図１】
2009060366.tif 000003
【図２】
2009060366.tif 000004
【図３】
2009060366.tif 000005
【図４】
2009060366.tif 000006
【図５】
2009060366.tif 000007
【図６】
2009060366.tif 000008
【図７】
2009060366.tif 000009
【図８】
2009060366.tif 000010
【図９】
2009060366.tif 000011
【図１０】
2009060366.tif 000012
【図１１】
2009060366.tif 000013